(57)【特許請求の範囲】
【請求項１】
人体に押圧されるべき弾力を有するボールを支持するツボ・患部押圧用ボール支持具であって、
ゴム弾性を有するエラストマーからなり、内周面が下方に向かって先細となるテーパー状とされている貫通穴を有し、外力を受けていない自由な状態では前記貫通穴の最小径部の径は前記ボールの径より小さくされており、
前記ボールが前記貫通穴から上下両方に突出した状態で該貫通穴に弾性的に嵌合されるようになっており、
下面側のうちの前記貫通穴を取り囲む貫通穴囲繞部分は、該部分より外周側の部分に比し下方に突出しているツボ・患部押圧用ボール支持具。
【請求項２】
前記エラストマーのゴム硬度は２０〜４０である請求項１記載のツボ・患部押圧用ボール支持具。
【請求項３】
前記エラストマーはシリコーンゴムである請求項１または２記載のツボ・患部押圧用ボール支持具。
【請求項４】
前記ボールは硬式テニスボールである請求項１乃至３のいずれか１項に記載のツボ・患部押圧用ボール支持具。
【発明の詳細な説明】
【技術分野】
【０００１】
本発明は、病気ないしは身体的異常等の諸症状の緩和等を図る目的で、硬式テニスボール等の弾力を有するボールを人体のツボないしは患部等に押圧する際に、そのボールを所望の位置に位置決めするためのツボ押圧用ボール支持具に関する。
【背景技術】
【０００２】
従来より、球面状部分を備えた押圧体を有しており、使用者がその上に寝て（横になって）、前記押圧体の球面状部分が人体のツボないしは患部を押圧するようにすることにより、病気ないしは身体的異常等の諸症状を緩和するツボ・患部押圧具は従来より知られている（例えば、特許文献１）。
【０００３】
また、硬式テニスボールを人体のツボないしは患部等に押圧すると、病気ないしは身体的異常等の諸症状を緩和できることも従来より知られている（例えば、非特許文献１）。
【先行技術文献】
【特許文献】
【０００４】
【特許文献１】実開昭５７−１０７５３５号公報
【非特許文献１】酒井慎太郎著「腰痛は９９％完治する」株式会社幻冬舎、２００９年１２月１０日、ｐ．１５８−１６１
【発明の概要】
【発明が解決しようとする課題】
【０００５】
しかしながら、前記従来のツボ・患部押圧具においては、押圧体が比較的に小さく、かつ硬い材料からなっていたため、テニスボールに比較し、病気ないしは身体的異常等の諸症状の緩和の効果が小さいという問題があった。
【０００６】
また、使用中に使用者が寝入ってしまうと、押圧体が使用者の体に長時間押圧され続けることになり、却って障害を引き起こす虞があった。
【０００７】
さらに、押圧体と支持台との間にばねが介装された構造となっていたので、構造が複雑になるとともに、部品点数が多くなり、製造コストが高くなるという問題があった。
【０００８】
他方、硬式テニスボールをツボないしは患部等に押圧する場合は、ボールをそのままベッド、布団、ソファー、椅子の座面等の上に置くと、使用中にボールが不適切な場所へ動いてしまい易いというという問題があった。
【０００９】
また、非特許文献１に示されているように、テニスボールが動かないように、ガムテープで２個のボールをくっつけることも従来行われていたが、必ずしもボールを適切な位置に十分安定に位置決めすることができないとともに、ガムテープが人体や衣服にひっつき、不快に感じ易いという問題があった。
【００１０】
また、この場合も、使用中に使用者が寝入ってしまうと、ボールが使用者の体に長時間押圧され続けることになり、却って障害を引き起こす虞があった。
【００１１】
本発明は、このような従来の事情に鑑みてなされたもので、本発明の目的の一つは、硬式テニスボールまたはその他の弾力を有するボールを使用して、病気ないしは身体的異常等の諸症状の緩和に高い効果を得ることができるツボ・患部押圧用ボール支持具を提供することにある。
【００１２】
本発明の他の目的は、ガムテープを用いることなく、ボールを支持することができるツボ・患部押圧用ボール支持具を提供することにある。
【００１３】
本発明の他の目的は、使用者が覚醒しており、ボールをツボないしは患部等に押圧しようとする意識を有している間は、ボールを所望の位置に安定に支持することができるツボ・患部押圧用ボール支持具を提供することにある。
【００１４】
本発明の他の目的は、使用中に使用者が寝入ってしまった場合は、ボールが外れ、ボールが使用者の体に長時間押圧され続けないようにすることができ、安全であるツボ・患部押圧用ボール支持具を提供することにある。
【００１５】
本発明の他の目的は、ボールが人体を過度に強く押圧することがないようすることができるツボ・患部押圧用ボール支持具を提供することにある。
【００１６】
本発明の他の目的は、ボールが弾力を失ったり、損傷したりした場合は、簡単にボールを交換できるツボ・患部押圧用ボール支持具を提供することにある。
【００１７】
本発明の他の目的は、人体に接触しても、痛みや不快感を与えることのないツボ・患部押圧用ボール支持具を提供することにある。
【００１８】
本発明の他の目的は、構造が簡単で部品点数が少なく、製造コストが安価なツボ・患部押圧用ボール支持具を提供することにある。
【００１９】
本発明のさらに他の目的は、以下の説明から明らかになろう。
【課題を解決するための手段】
【００２０】
本発明によるツボ・患部押圧用ボール支持具は、人体に押圧されるべき弾力を有するボールを支持するツボ・患部押圧用ボール支持具であって、
ゴム弾性を有するエラストマーからなり、内周面が下方に向かって先細となるテーパー状とされている貫通穴を有し、外力を受けていない自由な状態では前記貫通穴の最小径部の径は前記ボールの径より小さくされており、
前記ボールが前記貫通穴から上下両方に突出した状態で該貫通穴に弾性的に嵌合される
ようになっており、
下面側のうちの前記貫通穴を取り囲む貫通穴囲繞部分は、該部分より外周側の部分に比し下方に突出しているものである。
【００２１】
本発明のツボ・患部押圧用ボール支持具を使用する際には、人体のツボないしは患部等に押圧されるべき硬式テニスボール等の弾力を有するボールを、貫通穴から上下両方に突出した状態になるようにして、該貫通穴に弾性的に嵌合させた上、貫通穴の小径側が下方、貫通穴の大径側が上方に来るようにして、ベッド、布団、ソファー、椅子の座面（クッション性がない座面の場合はクッション、座布団等を敷く）等の柔軟性があるものの上に置く。そして、使用者はベッド、布団、ソファー等の上に寝たり、椅子に腰掛け、ツボないしは患部等にボールが押圧されるようにする（ボールにタオル等を被せ、ボールと人体との間にタオル等が介在されるようにしてもよい）。
【００２２】
本発明のツボ・患部押圧用ボール支持具によれば、硬式テニスボールまたはその他の弾力を有するボールを人体のツボないしは患部等に押圧することができるので、病気ないしは身体的異常等の諸症状の緩和に高い効果を得ることができる。
【００２３】
また、ガムテープは用いないので、ガムテープが人体や衣服にひっつき、不快に感じることがない。
【００２４】
また、使用者が覚醒しており、ボールをツボないしは患部等に押圧しようとする意識を有している間は、ボールが人体により上下方向、すなわち貫通穴の大径側から小径側に押されるので、ボールが人体に押されれば押されるほどボールが貫通穴に一層強く弾性的に嵌合する。したがって、使用者が覚醒している間は、ボールが本支持具から脱落する虞がなく、ボールを所望の位置に安定に支持することができる。
【００２５】
その一方、使用中に使用者が寝入ってしまうと、ツボないしは患部にボールを押圧させようとする意識を失い、使用者の身体がボールに対し自然に横にずれようとするので、ボールに横方向の力が作用し、ボールが貫通穴から外れて本支持具から脱落する。したがって、使用中に使用者が寝入ってしまった場合は、ボールが使用者の体に長時間押圧され続けないようにすることができ、安全である。
【００２６】
また、もしボールが人体に過度に強く押圧されると、むしろ人体に害を及ぼすことになる虞があるが、ボールのうちの貫通穴の下方に突出した部分はベッド、布団、ソファー、椅子の座面（または座面に敷かれたクッション、座布団等）等の中に沈み込んだ状態となるので、これにより力が吸収され、ボールが人体に過度に強く押圧されるのが防止され、適度な強さで人体に押圧されるようにすることができる。
【００２７】
また、ボールを簡単に取り外すことができるので、ボールが弾力を失ったり、損傷したりした場合は、簡単にボールを交換できる。
【００２８】
また、このツボ・患部押圧用ボール支持具は、ゴム弾性を有するエラストマーからなるので、本支持具自体に人体が接触しても、痛みや不快感を与えることはない。
【００２９】
さらに、構造が簡単で部品点数が少ないので、製造コストを安価にすることができる。
【発明の効果】
【００３０】
本発明のツボ・患部押圧用ボール支持具は、
（イ）硬式テニスボールまたはその他の弾力を有するボールを人体のツボないしは患部等に押圧することができるので、病気ないしは身体的異常等の諸症状の緩和に高い効果を得ることができる、
（ロ）ガムテープは用いないので、ガムテープが人体や衣服にひっつき、不快に感じることがない、
（ハ）使用者が覚醒している間は、ボールを所望の位置に安定に支持することができる、
（ニ）使用中に使用者が寝入ってしまった場合は、ボールが本支持具から脱落し、ボールが使用者の体に長時間押圧され続けないようにすることができ、安全である、
（ホ）ボールが人体に過度に強く押圧されるのを防止し、適度な強さで人体に押圧されるようにすることができる、
（ヘ）本支持具自体に人体が接触しても、痛みや不快感を与えることがない、
（ト）製造コストを安価にすることができる、
等の優れた効果を得られるものである。
【図面の簡単な説明】
【００３１】
【図１】本発明によるツボ・患部押圧用ボール支持具の一実施例を示す斜め下方から見て示す斜視図である。
【図２】前記実施例を示す正面図である。
【図３】前記実施例を示す平面図である。
【図４】前記実施例を示す底面図である。
【図５】図３のＶ−Ｖ線における断面図である。
【図６】前記実施例の貫通穴に硬式テニスボールを嵌合した状態を示す断面図である。
【図７】ベッドまたは布団に仰向けに寝た状態で使用する場合の前記実施例の支持具およびボールの挿入位置を示す使用説明面図である。
【図８】ベッドまたは布団に横向きに寝た状態で使用する場合の前記実施例の支持具およびボールの挿入位置を示す使用説明面図である。
【図９】椅子に座って使用する場合の前記実施例の支持具およびボールの挿入位置を示す使用説明面図である。
【図１０】使用状態における前記実施例の本支持具およびボール付近の模式的な断面図である。
【図１１】本発明者が開発過程で試作した試作品を本発明品との比較のために参考例として示す断面図である。
【発明を実施するための形態】
【００３２】
以下、本発明を図面に示す実施例に基づいて説明する。
【実施例】
【００３３】
図１〜６は本発明によるツボ・患部押圧用ボール支持具の一実施例を示している。なお、本実施例では、ツボないしは患部等に押圧すべきボールとして、中空の弾力を有するボールである硬式テニスボールを使用する。
【００３４】
ツボ・患部押圧用ボール支持具１は、ゴム弾性を有するエラストマー、具体的にはシリコーンゴムを一体的に成形してなる。前記シリコーンゴムのゴム硬度は、好ましくは２０〜４０、さらに好ましくは２５〜３５である。ゴム硬度がこのような範囲にない場合は、後述する作用効果が低下したり、得られない虞がある。
【００３５】
本支持具１は、中央部に上下方向に貫通する貫通穴２を設けられており、全体に大略円環状をなしている。前記貫通穴２の内周面２ａは、下方に向かって先細となるテーパー状とされている（ただし、ストレートなテーパーではなく、球面の一部をなすような凹曲面状のテーパーとされている）。支持具１が外力を受けていない自由な状態では、前記貫通穴２の最小径部の径Ｄminはボールの径より小さく、最大径部の径Ｄmaxはボールの径Ｄbより僅かに大きくされている（図５，６参照）。
【００３６】
支持具１の上面１ａは平らな面とされている。支持具１の下面側のうちの外周側の部分１ｂも平ら面とされているが、支持具１の下面側のうちの貫通穴２を取り囲む貫通穴囲繞部分１ｃは外周側の部分１ｂに比し下方に突出している。前記貫通穴囲繞部分１ｃの外周面１ｄは、該貫通穴囲繞部分１ｃが下方に向かって先細となるような凹曲面状をなしている。
【００３７】
本支持具１を使用する際には、図６に示されるように、硬式テニスボール３を貫通穴２から上下両方に突出した状態になるようにして、該貫通穴２に弾性的に嵌合させた上、貫通穴２の小径側が下方、貫通穴２の大径側が上方に来るようにして、ベッド、布団、ソファー、椅子の座面（クッション性がない座面の場合はクッション、座布団等を敷く）等の柔軟性があるものの上に置く。そして、使用者はベッド、布団、ソファー等の上に寝たり、椅子に腰掛け、ツボないしは患部等にボール３が押圧されるようにする。
【００３８】
本支持具１を用いると、例えば、次のような症状に特に高い効果を得ることができる（各症状の後に、押圧すべきツボないしは患部等を示している）。
【００３９】
（ａ）目の疲れ…風池
（ｂ）座骨神経病…座骨、足の三里、承山
（ｃ）ぎっくり腰…承山、委中
（ｄ）ムズムズ脚症候群…足の三里、承山
（ｄ）寝付き…風池
（ｅ）座りきりまたは立ちっぱなしの仕事等による足の疲労…殷門、委中、足の三里、
承筋、その他疲れている場所
（ｆ）冷え性、血の道症…三陰交
例えば、風池４、座骨５、殷門６、委中７等を押圧したいときは、図７に示されるように、ベッド、布団、ソファー等８の上に使用者が仰向けに寝て（背臥位）、該当箇所の下に支持具１に嵌合されたボール３が位置するようにする。
【００４０】
例えば、承山９、足の三里１０、承筋１１、三陰交１２等を押圧したいときは、図８に示されるように、ベッド、布団、ソファー等８の上に使用者が横向きに寝て（側臥位）、該当箇所の下に支持具１に嵌合されたボール３が位置するようにする。
【００４１】
殷門６を押圧したいときは、図９に示されるように、使用者が椅子の座面１３に座って、該当箇所の下に支持具１に嵌合されたボール３が位置するようにしてもよい。
【００４２】
なお、症状および使用箇所によっては、複数組の支持具１およびボール３を同時に使用することが好ましい。
【００４３】
また、使用者の性別、年令、体格、あるいはツボないしは患部の場所等により、ボール３の押圧強さに対する感受性は異なって来るので、場合に応じて、ボール３にタオル等を被せ、ボール３と人体との間にタオル等が介在されるようにしてもよい（タオルを何重に折るかによってもボール３に押圧されたときに受ける感覚を調整できる）。
【００４４】
図１０は、使用状態における本支持具１およびボール３付近の模式的な断面図であり、この図では、使用者の身体のツボないしは患部等を符号Ａで代表して示している。ボール３のうちの貫通穴２から上方に突出している部分が身体のツボないしは患部Ａに押圧される一方、ボール３のうちの貫通穴２から下方に突出している部分および支持具１の貫通穴囲繞部分１ｃがベッド、布団、ソファー等８または椅子の座面１３（または座面に敷かれたクッション、座布団等）に沈み込んだ状態となる。
【００４５】
本支持具１によれば、硬式テニスボール３を人体のツボないしは患部等Ａに押圧することができるので、病気ないしは身体的異常等の諸症状の緩和に高い効果を得ることができる。
【００４６】
また、本支持具１は、ガムテープは用いないので、ガムテープが人体や衣服にひっつき、不快に感じることがない。
【００４７】
また、使用者が覚醒しており、ボール３をツボないしは患部等Ａに押圧しようとする意識を有している間は、ボール３が人体により上下方向、すなわち貫通穴２の大径側から小径側に押されるので、ボール３が人体に押されれば押されるほどボール３が貫通穴２に一層強く弾性的に嵌合する。したがって、使用者が覚醒している間は、ボール３が本支持具１から脱落する虞がなく、ボール３を所望の位置に安定に支持することができる。
【００４８】
また、使用中に使用者が寝入ってしまった場合は、使用者がツボないしは患部にボール３を押圧させようとする意識を失い、使用者の身体がボール３に対し自然に横にずれようとするので、ボール３に横方向の力が作用し、ボール３が貫通穴２から外れて本支持具１から脱落する。したがって、使用中に使用者が寝入ってしまった場合は、ボール３が使用者の体に長時間押圧され続けないようにすることができ、安全である。
【００４９】
また、もしボール３が人体に過度に強く押圧されると、むしろ人体に害を及ぼすことになる虞があるが、本支持具１では、前述のようにボール３のうちの貫通穴２の下方に突出した部分はベッド、布団、ソファー等８または椅子の座面１３（または座面に敷かれたクッション、座布団等）等の中に沈み込んだ状態となるので、これにより力が吸収され、ボール３が人体に過度に強く押圧されるのが防止され、適度な強さで人体に押圧されるようにすることができる。
【００５０】
また、本発明では、支持具１の貫通穴囲繞部分１ｃもベッド、布団、ソファー等８または椅子の座面１３（または座面に敷かれたクッション、座布団等）に沈み込んだ状態となるので、これによっても、力が吸収され、ボール３が人体に過度に強く押圧されるのが防止され、適度な強さで人体に押圧されるようにすることができる。
【００５１】
図１１は、本発明者が開発過程で試作したツボ・患部押圧用ボール支持具の試作品１６を、本願発明の支持具１との比較のために参考例として示したものである。ゴムからなる試作品１６は、テーパー状の貫通穴１７を有しているが、ボール３は貫通穴１７の上方にのみ突出し、下方には突出しない状態で貫通穴１７に嵌合されるようになっている。また、支持具１６の下面１６ａは平らで本願発明の貫通穴囲繞部分１ｃに相当する突出部は有していない。
【００５２】
このような試作品１６の構成では、ボール３はベッド、布団、ソファー、椅子の座面（または座面に敷かれたクッション、座布団等）等の中に全く沈み込まず、また試作品１６もベッド等に沈み込みにくいので、ボール３が人体に過度に強く押圧され、むしろ人体に害を及ぼす虞がある。
【００５３】
本支持具１の作用効果に戻ってさらに述べると、本支持具１は、ボール３を簡単に取り外すことができるので、ボール３が弾力を失ったり、損傷したりした場合は、簡単にボール３を交換できる。
【００５４】
また、本支持具１は、ゴム弾性を有するエラストマーからなるので、本支持具１自体に人体が接触しても、痛みや不快感を与えることはない。
【００５５】
さらに、本支持具１は、構造が簡単で部品点数が少ないので、製造コストを安価にすることができる。
【００５６】
なお、本発明のツボ・患部押圧用ボール支持具は、硬式テニスボール以外の、軟式テニスボール、硬式・軟式野球ボール、ソフトボール、ピンポンボール、その他の弾力を有するボール（中空でないものも含む）を支持させて、ツボないしは患部に押圧するようにすることもできる。
【００５７】
また、前記実施例においては、支持具１がシリコーンゴムにより構成されているが、本発明の支持具は、シリコーンゴム以外のゴムや熱可塑性エラストマーのような、他の種のゴム弾性を有するエラストマーにより構成してもよい。
【００５８】
また、前記実施例においては、貫通穴２の内周面２ａが曲面状のテーパー状とされているが、ストレートなテーパー状としてもよい。
【００５９】
また、前記実施例においては、支持具１が大略円環状をなしていて外周が円形をなしているが、本発明におけるツボ・患部押圧用ボール支持具の外周は必ずしも円形でなくてもよい。
【００６０】
また、前記実施例においては、１つの支持具に１つの貫通穴が設けられているが、１つの支持具に２以上の貫通穴を設けてもよい。
【産業上の利用可能性】
【００６１】
以上のように本発明によるツボ・患部押圧用ボール支持具は、病気ないしは身体的異常等の諸症状の緩和等を図る目的で、硬式テニスボール等の弾力を有するボールを人体のツボないしは患部等に押圧する際に、そのボールを位置決めするためのボール支持具として有用である。
【符号の説明】
【００６２】
１    ツボ・患部押圧用ボール支持具
１ａ  支持具の上面
１ｂ  支持具の下面側のうちの外周側の部分
１ｃ  貫通穴囲繞部分
１ｄ  貫通穴囲繞部分の外周面
２    貫通穴
２ａ  貫通穴の内周面
３    硬式テニスボール
Ａ    身体のツボないしは患部等
Ｄmin   貫通穴の最小径部の径
Ｄmax   貫通穴の最大径部の径
Ｄb  ボールの径
【図１】
0005795484.tif 000002
【図２】
0005795484.tif 000003
【図３】
0005795484.tif 000004
【図４】
0005795484.tif 000005
【図５】
0005795484.tif 000006
【図６】
0005795484.tif 000007
【図７】
0005795484.tif 000008
【図８】
0005795484.tif 000009
【図９】
0005795484.tif 000010
【図１０】
0005795484.tif 000011
【図１１】
0005795484.tif 000012